【手続補正書】
【提出日】平成18年8月28日(2006.8.28)
【手続補正１】
【補正対象書類名】明細書
【補正対象項目名】全文
【補正方法】変更
【補正の内容】
【書類名】明細書
【発明の名称】トラクタのロータリ耕耘装置
【特許請求の範囲】   
【請求項１】圃場等を耕耘する複数の耕耘爪（１０）を装着する爪ホルダ（９）を固着した耕耘パイプ（８）と、該耕耘パイプ（８）を回転自在に軸支する左右両側のギヤーケース（３）と、支持ケース（４）等を設けたトラクタにおいて、耕耘パイプ（８）の左右両端部には、支持孔（１２ａ）を有する支持板（１１）を設けると共に、該各支持孔（１２ａ）へ挿入して設けた各カラー（１５）には、草及び藁屑等を切断して巻付きを防止する巻付防止杆（１３）を挿入して支持させて設けたことを特徴とするトラクタのロータリ耕耘装置。  
【請求項２】 前記巻付防止杆（１３）を各カラー（１５）で回転自在に軸支して設けたことを特徴とする請求項１に記載のトラクタのロータリ耕耘装置。  
【請求項３】 前記耕耘パイプ（８）の左右両端部に設ける支持板（１１）は巻付防止杆（１３）を装着する専用部品として設けたことを特徴とする請求項１、又は請求項２に記載のトラクタのロータリ耕耘装置。  
【発明の詳細な説明】   
【０００１】   
【発明の属する技術分野】
この発明は、耕耘爪を装着する爪ホルダを固着した耕耘パイプの左右両端部には、支持孔に連通する挿入溝を有する支持板を設け、この各支持板の各支持孔へ挿入した各カラーには、草、及び藁屑等を切断して巻付きを防止する巻付防止杆を挿入して支持させた技術であり、トラクタのロータリ耕耘装置として利用できる。  
【０００２】   
【従来の技術】
トラクタの後部に装着したロータリ耕耘装置で圃場の耕耘作業は、このロータリ耕耘装置の左右両側に設けたギヤーケースと、支持ケースとで回転自在に軸支した耕耘パイプに複数個固着した爪ホルダには、各耕耘爪を装着し、この各耕耘爪の回転駆動で耕耘する。この耕耘作業のときには、この圃場に雑草、及び藁屑が多いときは、ロータリ耕耘装置へ雑草、及び藁屑等の巻付きを防止するために、耕耘パイプの左右両端部に設けた一方側の支持板に設けた支持孔へ両端部に螺旋ネジを設けた巻付防止杆の一方側の端部を挿入し、他方側の支持板に設けた支持孔へこの巻付防止杆の他方側の端部を挿入し、この各支持板の外側面から突出したこの巻付防止杆の両端の螺旋ネジ部へナットを螺挿入して、この各支持板の外側面へこの各ナットで固定して装着する。  
【０００３】
前記巻付防止杆を装着したロータリ耕耘装置を、所定高さ位置へ設定して、圃場を走行させると、巻付防止杆で雑草、及び藁屑等は切断され、巻付きを防止しながら耕耘される。  
【０００４】   
【発明が解決しようとする課題】
巻付防止杆を左右両側の支持板の挿入孔へ片側ずつ挿入して組付けることにより、組付けに時間を要することがあった。又、各支持板を巻付防止杆の装着専用として、構成を簡単にすると共に、取付けの容易化を図り、更にこの巻付防止杆へ草、及び藁屑等を切断して、巻付きの防止を図ろうとするものである。  
【０００５】   
【課題を解決するための手段】
このために、この発明は、請求項１に記載の発明においては、圃場等を耕耘する複数の耕耘爪１０を装着する爪ホルダ９を固着した耕耘パイプ８と、該耕耘パイプ８を回転自在に軸支する左右両側のギヤーケース３と、支持ケース４等を設けたトラクタにおいて、耕耘パイプ８の左右両端部には、支持孔１２ａを有する支持板１１を設けると共に、該各支持孔１２ａへ挿入して設けた各カラー１５には、草及び藁屑等を切断して巻付きを防止する巻付防止杆１３を挿入して支持させて設けたことを特徴とするトラクタのロータリ耕耘装置としたものである。  
【０００６】
請求項２に記載の発明においては、前記巻付防止杆１３を各カラー１５で回転自在に軸支して設けたことを特徴とする請求項１に記載のトラクタのロータリ耕耘装置としたものである。請求項３に記載の発明においては、前記耕耘パイプ８の左右両端部に設ける支持板１１は巻付防止杆１３を装着する専用部品として設けたことを特徴とする請求項１、又は請求項２に記載のトラクタのロータリ耕耘装置。  
【０００７】   
【発明の作用】
請求項１、及び請求項３に記載の発明においては、トラクタの後部に装着したロータリ耕耘装置で圃場の耕耘作業は、このロータリ耕耘装置の左右両側に設けたギヤーケース３と、支持ケース４とで回転自在に軸支した耕耘パイプ８に複数個固着した爪ホルダ９には、各耕耘爪１０を装着し、この各耕耘爪の回転駆動で耕耘する。この耕耘作業のときに、この圃場に雑草、及び藁屑等が多いときには、ロータリ耕耘装置へ雑草、及び藁屑等の巻き付きを防止するために、耕耘パイプ８の左右両端部に、巻付防止杆１３を装着する専用の装着部品である各支持板１１を設け、この各支持板１１には、支持孔１２ａに連通する挿入溝１２ｂを設けている。  
【０００８】
前記耕耘パイプ８の左右両端部の各支持板１１の各挿入溝１２ｂを経て各支持孔１２ａ部へ左右両端部の螺旋ネジ部へナットを螺挿入した巻付防止杆１３を挿入し、このときは、この各ナットは各支持板１１の内側に位置させている。この巻付防止杆１３の外周部へ左右両側からカラー１５を挿入し、この各カラー１５を各支持板１１の各支持孔１２ａ部まで挿入して、巻付防止杆１３の左右両側の螺旋ネジ部へナットを螺挿入し、これら各支持板１１の内外側面に位置する状態の各ナットを、この各支持板１１の内外側面へ締付けて、この巻付防止杆１３を装着する。  
【０００９】
前記巻付防止杆１３を装着したロータリ耕耘装置を、所定高さ位置へ設定して、圃場を走行させると、巻付防止杆１３で雑草、及び藁屑等は切断され、巻付きを防止しながら耕耘される。請求項に記載の発明においては、前記各支持板１１の支持孔１２ａ部へ挿入する各カラー１５の全長は、各支持板１１の厚みより、長くして設けている。耕耘パイプ８の左右両端部の各支持板１１の各挿入溝１２ｂを経て各支持孔１２ａ部へ左右両端部の螺旋ネジ部へナットを螺挿入した巻付防止杆１３を挿入し、このときは、この各ナットは各支持板１１の内側に位置させている。この巻付防止杆１３の外周部へ左右両側から全長の長いカラー１５を挿入し、この各カラー１５を各支持板１１の各支持孔１２ａ部まで挿入して、巻付防止杆１３の左右両側の螺旋ネジ部へナットを螺挿入し、これら各カラー１５の内外側面に位置する状態の各ナットをこの各カラー１５の内外側面へ締付けて、この巻付防止杆１３を回転する状態に装着する。  
【００１０】  
前記巻付防止杆１３を回転する状態に装着したロータリ耕耘装置を、所定高さ位置へ設定して、圃場を走行させると、巻付防止杆１３で雑草、及び藁屑等は切断され、巻付きを防止しながら耕耘される。  
【００１１】   
【発明の効果】
請求項１に記載の発明においては、巻付防止杆１３を装着する耕耘パイプ８の左右両端部に設けた支持板１１には、この巻付防止杆１３を各カラー１５を介して支持する支持孔１２ａには、挿入溝１２ｂを連通させて設けたことにより、この巻付防止杆１３の左右両端部を各支持板１１の各挿入溝１２ｂを介して各支持孔１２ａへ同時に挿入することができ、このために、組付が簡単で短時間で組付けを行うことができる。  
【００１２】
請求項２に記載の発明においては、前記各支持板１１の各支持孔１２ａへ挿入すると共に、巻付防止杆１３の外周部へ挿入する各カラー１５の全長を各支持板１１の厚みより、長くしたことによって、この巻付防止杆１３は回転し、回転することにより、ロータリ耕耘装置へ雑草、及び藁屑等の巻付きを大幅に減少させることができる。  
【００１３】
請求項３に記載の発明においては、前記巻付杆１３を装着する耕耘パイプ８の左右両端部に設ける支持板１１は、巻付防止杆１３を装着する専用部品としたことにより、構成が簡単になると共に、装着を容易にすることができる。  
【００１４】   
【発明の実施の形態】
以下、本発明の一実施例を図面に基づいて説明する。トラクタ１の後部には、耕耘作業、及び代掻作業等を行うロータリ耕耘装置２を装着して設け、このロータリ耕耘装置２は左右両側のギヤーケース３と、支持ケース４との間には、回転自在に軸支した耕耘パイプ８を設け、この耕耘パイプ８の左右両端部には、各支持板１１を設け、この各支持板１１には、ロータリ耕耘装置２に雑草、及び藁屑等を切断して、巻付きを防止する巻付防止杆１３を設けた構成である。これら各支持板１１、及び巻付防止杆１３等を主に図示して説明する。  
【００１５】
前記トラクタ１の後部には、図１、及び図１３で示す如くリンク機構２ａを介して、ロータリ耕耘装置２を装着した構成である。このロータリ耕耘装置２は、右側に支持ケース４を設け、左側に伝動機構３ａを内装したギヤーケース３を設け、中央部に入力伝動機構５ａを内装した入力ギヤーケース５を設けた構成である。これら支持ケース４と、ギヤーケース３とは、入力ギヤーケース５と、及び左右両側の駆動パイプ６，６とで接続した構成である。左側のこの駆動パイプ６内には、伝動機構６ａを内装した構成である。  
【００１６】
前記ギヤーケース３と、支持ケース４と、各駆動パイプ６と、入力ギヤーケース５とにより、ロータリ機枠７を門形状に形成した構成である。前記ロータリ耕耘装置２のロータリ機枠７のギヤーケース３と支持ケース４との間の下部には、耕耘パイプ８を回転自在に軸支した構成である。この耕耘パイプ８の外周部には、所定間隔に断面形状を箱形状に形成した爪ホルダ９を多数個固着して設け、この爪ホルダ９には、耕耘爪１０を挿入して、ボルト１０ａ、ナット１０ｂ、及びスプリング座金１０ｃ等によって、装着した構成である。  
【００１７】
又、前記耕耘パイプ８の外周部の左右両外端部の爪ホルダ９内側、又は外側には、図１で示す如く支持板１１と耕耘爪９とを締付用のボルト１０ａ等で共締めした構成である。この支持板１１の基部は、耕耘パイプ８の外周に沿わせて形成して、廻り止めとした構成である。この各支持板１１の先端部の近傍部には、図１〜図４で示す如くロータリ耕耘装置２へ雑草、及び藁屑等の巻付きを防止するために切断する巻付防止杆１３を装着する支持孔１２ａを設けると共に、この支持孔１２ａに連通する挿入溝１２ｂを横側端部から、この挿入溝１２ｂの幅を、巻付防止杆１３の外径より、若干広く形成して設けた構成である。  
【００１８】
前記巻付防止杆１３は、図２で示す如く左右両端部には、所定長さの螺旋ネジ１３ａ部を設けた構成である。前記巻付防止杆１３を組付けるときは、図２で示す如くこの巻付防止杆１３の左右両側部の螺旋ネジ１３ａへ内側用の内ナット１４ａを螺挿入後に、この巻付防止杆１３を耕耘パイプ８の爪ホルダ９に設けた各支持板１１の挿入溝１２ｂへ挿入し、この挿入溝１２ｂ部から支持孔１２ａ部へ移動させて挿入して、その後に、図２で示す如く径大のフランジ１５ａを有するフランジ付き用のカラー１５，１５を左右両側から巻付防止杆１３へ挿入すると共に、支持孔１２ａ部へ挿入して、巻付防止杆１３の左右両側部の螺旋ネジ１３ａへ外側用の外ナット１４ｂを螺挿入し、これら内・外ナット１４ａ，１４ｂで締付けて、固定する構成である。片側ずつを挿入することなく、巻付防止杆１３の左右両側を同時に挿入して、組付けできる構成である。  
【００１９】
これにより、巻付防止杆１３の組付けは、この巻付防止杆１３の左右両端部を耕耘パイプ８の爪ホルダ９に設けた各支持板１１，１１の各挿入溝１２ｂを経て各支持孔１２ａへ同時に挿入することができ、このために、組付けが簡単で、短時間で組付けを行うことができる。  
【００２０】
前記各カラー１５の全長Ｌ１は、図５で示す如く耕耘パイプ８の両端部の爪ホルダ９に設けた各支持板１１の厚みＴ１より、所定長さ長く形成して、これらカラー１５と、支持板１１との間には、所定の隙間Ｍ，Ｍを設けた構成して、このカラー１５の外径部と、支持孔１２ａの内径部との間で、巻付防止杆１３を回転自在に軸支した構成である。  
【００２１】
これにより、左右両側の前記各支持板１１の各支持孔１２ａ部へ挿入すると共に、巻付防止杆１３の左右両側の外周部へ挿入する各カラー１５の全長Ｌ１を、各支持板１１の厚みより、所定長さ長く形成して、これらカラー１５と、支持板１１との間には、所定の隙間Ｍ，Ｍを設けて、巻付防止杆１３を回転する構成としたことにより、更にロータリ耕耘装置２へ雑草、及び藁屑等の巻付きを防止することができる。  
【００２２】
前記巻付防止杆１３を装着する耕耘パイプ８に設けると各支持板１１は、図６で示す如く耕耘パイプ８の外周部へ専用部品として、直接固着して設けた構成である。又は、図７で示す如く爪ホルダ１０の前側、及び後側、又は側面には、各支持板１１を専用部品として、直接固着して設けた構成である。これら専用部品として装着した各支持板１１へ巻付防止杆１３を装着した構成である。  
【００２３】
これにより、前記巻付防止杆１３を装着する各支持板１１は専用部品として、耕耘パイプ８、又は爪ホルダ９に固着して設けたことにより、構成が簡単になると共に、装着が容易であり、更に装着のときに、耕耘爪１０が外れることを防止できる。  
【００２４】
前記耕耘パイプ８の各爪ホルダ９に設ける各支持板１１へ巻付防止杆１３を装着して、外ナット１４で締付ける締付け部は、図８〜図１０で示す如く所定外径で所定深さのナット締付部孔１６を設け、この巻付防止杆１３の両先端部、及び締付用の外ナット１４ｂ等が、各支持板１１の側面部から突出する突出部を減少させて、これら巻付防止杆１３の先端部、及び外ナット１４ｂ等の雑草、及び藁屑等の引掛りを少なくした構成である。  
【００２５】
これにより、前記巻付防止杆１３の両先端部及び各外ナット１４ｂは、各支持板１１に設けたナット締付孔１６により、この各支持板１１の側面部からの突出量が少なくなり、これにより、雑草、及び藁屑等の巻き付きを大幅に減少させることができる。  
【００２６】
前記耕耘パイプ８の左右両端部に固着して設ける爪ホルダ９の耕耘爪１０を挿入する挿入部９ａは、図１１、及び図１２で示す如く広幅に形成した構成である。この挿入部９ａには、各耕耘爪１０と、巻付防止杆１３を装着する略Ｌ字形状の各支持板１１とを個別に挿入して、締付用のボルト１０ａと、ナット１０ｂと、スプリング座金１０ｃとにより、個別に締付けて装着した構成である。略Ｌ字形状の各支持板１１を各爪ホルダ９の挿入部９ａへ挿入して、この各支持板１１の先端部には、巻付防止杆１３を装着するが、この装着を正確に所定位置へ装着することができる構成である。  
【００２７】
これにより、前記巻付防止杆１３を挿入して装着する各支持板１１は、耕耘爪１０と同時に、各爪ホルダ９へ挿入することにより、この各支持板１１の位置決めが容易であり、又、巻付防止杆１３を所定位置へ装着することができる。前記ロータリ耕耘装置２の耕耘パイプ８に設けた巻付防止杆１３により、雑草、及び藁屑等を切断して、このロータリ耕耘装置２の耕耘パイプ８へ雑草、及び藁屑の巻き付きを防止した構成である。  
【００２８】
前記ロータリ耕耘装置２は、図１３で示す如くロータリカバー１７を設け、このロータリカバー１は、左右両側の左・右側カバー１８ａ，１８ｂと、天井カバー１８ｃとよりなる構成である。前記トラクタ１の後部には、図１３で示す如く伝動機構１９ａを内装した走行ギヤーケース１９を設け、この伝動機構１９ａから後方へ突出する出力軸１９ｂを回転自在に軸支した構成である。入力ギヤーケース５の入力伝動機構５ａには、前方へ突出する入力軸５ｂを回転自在に軸支して設け、この入力軸５ｂと、走行ギヤーケース１９の出力軸１９ｂとは、ユニバーサルジョイント杆２０によって、接続させた構成である。  
【００２９】
前記トラクタ１の走行車台２１の左右両側の前部には、一対の前輪２２を設けると共に、後部の走行ギヤーケース１９から、左右両側で外側へ突出する走行車軸１９ｃには、一対の後輪２３を回転自在に軸支して設けた構成である。前記トラクタ１の回転動力は、走行ギヤーケース１９の出力軸１９ｂから、ユニバーサルジョイント杆２０を経て入力ギヤーケース５の入力軸５ｂへ入力され、この入力ギヤーケース５の伝動機構５ａが回転駆動され、この伝動機構５ａにより、ギヤーケース３の伝動機構３ａが回転駆動されて、ロータリ耕耘装置２の耕耘パイプ８が回転駆動され、各耕耘爪１０，１０が回転駆動され、この各耕耘爪１０で圃場が耕耘される構成であると共に、巻付防止杆１３の回転駆動により、雑草、及び藁屑等が切断される構成である。  
【００３０】
前記トラクタ１の走行車台２１の前部の上側には、図１３で示す如くエンジン２４を載置すると共に、このエンジン２４はエンジンカバー２５で覆った構成である。又、このエンジン２４の後側には、ハンドル２６を設け、このハンドル２６の後方部には、操縦席２７を設けた構成である。この操縦席２７へ搭乗した操縦作業者より、ハンドル２６が操作され、例えば、耕耘作業等を行う構成である。  
【００３１】
ロータリ耕耘装置２８は、図１４で示す如く耕耘カバー２９の下部には、耕耘パイプ８の爪ホルダ９へ耕耘爪１０を設けると共に、耕耘カバー２９の後部には、中間弾性板３０を介してリヤーカバー３１を設け、このリヤーカバー３１は耕耘カバー２９の上部を回動支点２９ａとして、上下に回動自在に設けた構成である。  
【００３２】
前記耕耘カバー２９の上側には、図１４〜図１６で示す如くブラケット３２を設け、このブラケット３２には、ボスピン３３を軸支して設けて、抜け止めを施した構成である。リヤーカバー３１には、取付板３１ａを固着して設け、この取付板３１ａには、プレッシャーロット３４を装着すると共に、ボスピン３３へ挿入して設け、このプレッシャロット３４の外周部で、ボスピン３３の上側には、上スプリング３５ａを設けると共に、下側には、下スプリング３５ｂを設けた構成である。又、このボスピン３３部には、ロック装置３６を設けた構成である。プレッシャロット３４には、一方側に皿モミ３４ｂを施した皿モミ挿入孔３４ａと、直線形状の複数個の挿入孔３４ｃとを設けた構成である。  
【００３３】
前記ロック装置３６は、図１４〜図１６で示す如くボスピン３３の内径部には、円筒体３７を挿入し、この円筒体３７の内径部には、縦ピン３８を挿入した構成である。円筒体３７の外径の径小部には、外スプリング３９ａを設け、ボスピン３３の内径の径大部に設けたカラー３３ｂで抜け止めを施した構成である。又、円筒体３７の内径の径大部には、内スプリング３９ｂを設け、縦ピン３８の外径の径大部で抜け止めを施した構成である。円筒体３７の先端部には、カバー４０を設けた構成である。  
【００３４】
前記ボスピン３３の外径の径小部で先端部側には、図１５で示す如くスライド用のスライド溝３３ａ，３３ａを設け、このスライド溝３３ａ，３３ａと、円筒体３７とには、レバー４１を横ピン４２で軸支して設けた構成である。このレバー４１の両内側面には、ボスピン３３のスライド溝３３ａ，３３ａに位置させて、図１９で示す如く内側へ突出する長孔形状の凸部４１ａ，４１ａを設けた構成である。  
【００３５】
前記レバー４１は、図１５、及び図１６で示す如く横ピン４２の中心から、一方側の先端部迄をＬ２に形成し、又、該横ピン４２の中心から、レバー４１の上側面迄をＬ３に形成し、更に横ピン４２の中心から、レバー４１の下側面迄をＬ４に形成した構成である。  
【００３６】
前記リヤーカバー３１で圃場を均平にする。均平作業を行うときには、図５〜図１８で示す如く横ピン４２からの寸法がＬ２で、レバー４１の先端面Ｎ１が、ボスピン３３の段差面Ｄへ当接するように、このレバー４１を回動操作し、縦ピン３８の先端部の位置を、Ａ位置にして、プレッシャーロット３４の皿モミ３４ｂを有する皿モミ挿入孔３４ａへは、縦ピン３８は挿入状態にならない構成であり、ロック状態が解除されて、リヤーカバー３１は自重により、上下移動自在となり、良好な均平作業が行える構成である。  
【００３７】
前記リヤーカバー３１で圃場の土寄せ作業を行うときには、図２０、及び図２１で示す如く横ピン４２からの寸法がＬ４で、レバー４１の下側面Ｎ３が、ボスピン３３の段差面Ｄへ当接するように、このレバー４１を回動操作し、縦ピン３８の先端部の位置を、Ｃ位置にして、プレッシャーロット３４の皿モミ３４ｂを有する皿モミ挿入孔３４ａ、又は其の他の挿入孔３４ｃへ挿入状態にして、ロック状態にして、リヤーカバー３１を所定位置へロック状態にして、このリヤーカバー３１で圃場の土を寄せる構成であり、良好な土寄せ作業が行える構成である。  
【００３８】
又、前記リヤーカバー３１は、図２２、及び図２３で示す如く横ピン４２からの寸法がＬ３で、レバー４１の上側面Ｎ２が、ボスピン３３の段差面Ｄへ当接するように、このレバー４１を回動操作すると、縦ピン３８の先端部の位置を、Ｂ位置にして、プレッシャーロット３４の皿モミ３４ｂ位置部か、又は其の他の挿入孔３４ｃへ挿入状態となる構成である。リヤーカバー３１は縦ピン３８が皿モミ３４ｂ間へ操作したときは、この皿モミ３４ｂ部を上下移動するロック状態が解除された状態になるが、又は、縦ピン３８を挿入孔３４ｃへ挿入操作したときは、ロック状態となり、リヤーカバー３１は上下移動しない構成である。  
【００３９】
これにより、前記レバー４１の各端面を、ボスピン３３の段差面Ｄへ当接させ、内・外スプリング３９ａ，３９ｂの弾発力により、位置決めを行うと共に、ロック解除では、更にレバー４１に設けた凸部４１ａ，４１ａで保持が可能であり、ロータリ耕耘装置２８の振動等により、レバー４１の誤作動を防止することができる。  
【図面の簡単な説明】   
【図１】 ロータリ耕耘装置部の拡大平面図  
【図２】 巻付防止杆の取付部の拡大正断面図  
【図３】 巻付防止杆の取付部の拡大側面図  
【図４】 ロータリ耕耘装置部の一部破断した拡大背面斜視図  
【図５】 巻付防止杆の取付部の拡大正断面図  
【図６】 ロータリ耕耘装置部の一部破断した拡大背面斜視図  
【図７】 ロータリ耕耘装置部の一部破断した拡大背面斜視図  
【図８】 巻付防止杆の拡大背面斜視図  
【図９】 巻付防止杆の取付部の拡大正断面図  
【図１０】 支持板の拡大背面斜視図  
【図１１】 支持板の取付部の拡大背面斜視図  
【図１２】 支持板部の拡大背面斜視図  
【図１３】 トラクタの全体側面図  
【図１４】 他の実施例を示す図で、ロータリ耕耘装置部の拡大側面図  
【図１５】 他の実施例を示す図で、ロック装置部の拡大側断面図  
【図１６】 他の実施例を示す図で、ロック装置部の拡大平面図  
【図１７】 他の実施例を示す図で、ロック装置部の拡大側面斜視図  
【図１８】 他の実施例を示す図で、ロック装置部の一部断面した拡大側面図  
【図１９】 他の実施例を示す図で、図１７のＥ−Ｅ断面図  
【図２０】 他の実施例を示す図で、ロック装置部の拡大側面斜視図  
【図２１】 他の実施例を示す図で、ロック装置部の一部断面した拡大側面図  
【図２２】 他の実施例を示す図で、ロック装置部の拡大側面斜視図  
【図２３】 他の実施例を示す図で、ロック装置部の一部断面した拡大側面図  
【符号の説明】
３ ギヤーケース  
４ 支持ケース  
８ 耕耘パイプ  
９ 爪ホルダ  
１０ 耕耘爪  
１１ 支持板  
１２ａ 支持孔  
１２ｂ 挿入溝  
１３ 巻付防止杆  
１５ カラー